(57)【要約】【課題】奥行きが短く、差し入れ口をかろうじて通過できる厚みのある郵便物及び斜め方向の挿入では差し入れ口の上下両端に接触して傷ついてしまう長い郵便物を水平に挿入でき、郵便受け箱内の空間と玄関内の空間とが遮蔽され、ドアを閉じた状態において郵便物挿入時及び取り出し時を除いては形状が固定された郵便受け箱を提供することである。【解決手段】奥行きを短くすべく、扇蓋及び扇体の各末端部の上端から下端に至るまでの各距離を箱本体の奥行きよりも長くない構成とした。郵便物を水平に挿入し得るようにすべく、扇部の上方扇動により郵便物を水平に挿入し得る空間を郵便受け箱内に確保した。郵便受け箱内の空間と玄関内の空間とを遮蔽すべく、箱周壁、上壁、側壁、底壁及び可動板を設けた。扇部の下方扇動を妨げる物を設けないことにより、扇部は回転軸以外の支えを失うと箱本体に収納される構成とした。【選択図】図２
2014090796.tif 000002
【特許請求の範囲】
【請求項１】
箱本体及び扇部を有し、ドアの外側の表面の上端から下端までに至る垂直な表面から全く突出せず、扇部は箱本体の上部に設けられた回転軸に軸支され扇動する構造であり、扇部が普段は箱本体に収納されており、扇部は扇蓋、扇体、可動板及び可動板の軸を有し、扇部の扇動時には上壁、側壁及び可動板が郵便受け箱内の空間と玄関内の空間とを遮蔽し、可動板は扇蓋及び扇体に設けられた可動板の軸に揺動可能に軸支されて普段は箱本体の内部において垂直に垂れ下がっており、可動板は扇部の扇動時には該可動板の軸及び該可動板の下方に隣接する他の可動板又は箱周壁のうちドアに接面する箱壁の正反対の箱壁に支持され、扇部の下方扇動を妨げる物を設けないことにより扇部が回転軸以外の支えを失うと人力を要することなく箱本体に収納される郵便受け箱であって、扇蓋及び扇体の各末端部の上端から下端までに至る各距離が箱本体の奥行きよりも長くないことを特徴とする郵便受け箱。
【発明の詳細な説明】
【技術分野】
【０００１】
本発明は、ドアの内側に取り付ける郵便受け箱に関するものである。
【背景技術】
【０００２】
マンションやアパート等の各戸のドアに取り付ける郵便受けは、ドアの外側の差し入れ口から郵便物を挿入すると、ドアの内側に取り付けられた郵便受け箱の中に郵便物が落下して収納される構造である。
【０００３】
このような郵便受け箱は奥行きが長いと、玄関の内側の空間を継続して広く占有してしまうので、玄関の内側の空間が狭い場合には不適当である。そこで郵便受け箱は、玄関の内側の空間を継続して広く占有しないようにするために、奥行きを短くする必要がある。
【０００４】
しかし奥行きが短いと、長い郵便物を差し入れ口から水平に挿入すると郵便受け箱の内壁につっかえて挿入できない。長い郵便物を差し入れ口から斜め下方向に挿入しても郵便物の末端が差し入れ口からドアの外側に露出してしまう。また長い郵便物を斜めに挿入すると差し入れ口の上下両端で郵便物を傷つけてしまう。
【０００５】
郵便物を斜めに挿入する構造の郵便受け箱は、水平に挿入すれば差し入れ口をかろうじて通過できる程度の厚みのある郵便物が斜め挿入では差し入れ口を通過できないという欠点がある。このような厚みのある郵便物を差し入れ口を通じて郵便受け箱に収納するには、郵便物を水平に挿入し得る構造にする必要がある。
【０００６】
郵便物を挿入し易くする方法として、差し入れ口より室内方向には郵便物の挿入を妨げる物を設けず、差し入れ口よりドア内側下方にかご又は箱を設置する方法がある。しかしながらこの方法では、差し入れ口から戸内の様子が見えてしまいプライバシーが害されるほか、棒を差し込んで玄関内を荒らされたり、小動物が玄関内へ侵入する、寒い時期の冷たい外気が流入する等の害悪を防止できない。
【０００７】
また、郵便物を挿入し易くする方法として、郵便受け箱ではなく、郵便物を収納する柔軟な袋をドアの内側に設置するという方法がある。しかしながらこの方法では、差し入れ口からかぎ状の棒を差し込んで袋を引っ張りドアの内側から外側へと引っ張り出すことによって、袋内にあった郵便物を盗むことが容易である。さらに、同方法ではドアの開閉の度に遠心力で袋が揺れ動くので、邪魔である。
【先行技術文献】
【特許文献】
【０００８】
【特許文献１】特開平８−３２２７０３号公報
【特許文献２】特開平１０−２１８２８６号公報
【発明の概要】
【発明が解決しようとする課題】
【０００９】
解決しようとする課題は、奥行きが短く、差し入れ口をかろうじて通過できる厚みのある郵便物及び斜め方向の挿入では差し入れ口の上下両端に接触して傷ついてしまう長い郵便物を水平に挿入でき、郵便受け箱内の空間と玄関内の空間とが遮蔽され、ドアを閉じた状態において郵便物挿入時及び取り出し時を除いては形状が固定された郵便受け箱を提供することである。
【課題を解決するための手段】
【００１０】
本発明は、ドアの内側の空間の一部を占有する郵便受け箱であり、ドアの外側の表面の上端から下端までに至る垂直な表面から全く突出せず、箱本体及び扇部を有する。扇部は、回転軸に軸支されて扇のように弧を描いて動作する。該動作を以下「扇動」という。
【００１１】
箱本体はドアの内側に固定され、箱本体のうちドアに接面する箱壁の上部に差し入れ口が設けられている。ドアに接面しない箱周壁のうち、ドアに接面する箱壁の正反対の箱壁以外であってドアに接面する箱壁に最も近い２つの箱壁のうちドアに接面する箱壁に近く差し入れ口よりも高い位置に、扇部の回転軸を設ける。ドアに接面しない箱周壁の上部は扇部を扇動させるために開口している。この扇動させるための開口部のうち左右両側には、扇部の扇動を制限するための係止部が設けられ、左側の該係止部は右方向へ、右側の該係止部は左方向へ、それぞれ突出している。箱本体の底は底壁により塞がれている。
【００１２】
扇部は扇体と扇蓋と可動板とを有する。扇体及び扇蓋の側壁はそれぞれ回転軸孔のある先端部から末端部へと広がっている。扇蓋は両側壁と一体の上壁を有する。扇動を制限するための係止部が、扇体では側壁下端においては側方へ、側壁上端においては内方へ、扇蓋では側壁下端において側方へ、それぞれ突出している。扇体及び扇蓋は箱本体に設けられた回転軸により軸支され扇動する。扇体及び扇蓋の末端部上方には可動板がそれぞれ揺動可能に軸支されている。可動板の軸は扇体の末端部上方の側壁に固着し、扇体と強固に固定されていて、扇体の末端部上方が側方へ開くこと及び末端部下方が内方へ閉じることを強固に阻止する。一つの可動板の軸の両端に固定された左右の扇体が一対をなす。可動板の横幅は、該可動板を軸支する各扇体及び扇蓋の各両側壁間の幅から、該可動板の揺動を許容するだけの微小な幅を差し引いた幅である。
【００１３】
扇体の長さは箱本体の開口部に収納できる長さであり、扇蓋の長さは扇体の長さよりも短く、扇体それぞれの長さも扇部を扇動させて引き上げた場合において扇蓋から近い扇体ほど短い形状である。該形状のため、可動板は箱本体の内部で垂直に垂れ下がるので、郵便物の落下収納を妨げない。また該形状のため、扇部全体が箱本体の開口部を通じてスムーズに収納される。さらに該形状のため、扇部が扇動する場合にも可動板は該可動板の軸に上端を支えられつつ、該可動板の下方に隣接する他の可動板に下端を滑らせながら支えられるので、可動板は扇部の上下扇動を妨げない。
【００１４】
扇蓋及び扇体の各末端部の上端から下端までに至る各距離は、箱本体の奥行きよりも長くない距離である。この距離と箱本体の奥行きとの関係により、扇部を上方に扇動させた場合における扇部の最長奥行きよりも箱本体の奥行きを短く構成でき、したがって本発明の郵便受け箱への挿入が可能な郵便物の長さよりも郵便受け箱の奥行きを短くすることができる。
【００１５】
扇部の扇動は箱本体、扇体及び扇蓋にそれぞれ設けられた係止部により制限されるので、扇蓋の末端部下端は扇蓋に隣接する扇体の末端部上方から、扇体の末端部下端は該扇体の下方に隣接する他の扇体の末端部上方から、箱本体に隣接する扇体の末端部下端は箱本体の開口部から、それぞれよりも上方の空間へは離脱しない。よって郵便受け箱内の空間は郵便受け箱の側面からは玄関内の空間に通じない状態が維持される。
【００１６】
扇部の扇動は箱本体、扇体及び扇蓋にそれぞれ設けられた係止部により制限され、扇蓋の可動板は扇蓋に隣接する扇体の可動板に、扇体の可動板はさらに隣接する扇体の可動板に、箱本体に隣接する扇体の可動板は箱本体のドアに接面する箱壁の正反対の箱壁に、それぞれ支えられるので、郵便受け箱内の空間は玄関内の空間に通じない状態が維持される。
【００１７】
したがって、郵便受け箱内に挿入された物が郵便受け箱から玄関内に居住者の意に反して出てしまうことがない。また玄関内の様子が差し入れ口から見えてしまうこともなく、ドアの外側から差し入れ口を通じて玄関内を荒らされることもなく、小動物が郵便受け箱内から玄関内に侵入することもなく、寒い時期の冷たい外気が室内に流入することもない。
【００１８】
厚い又は長い郵便物を挿入する際には、郵便物の先端で扇蓋の上壁をドア側から戸内に向かって配達人の人力で押す。すると扇蓋は回転軸を中心として扇動して持ち上がる。さらに押すと扇蓋が扇体を係止部によって吊り上げる。このとき扇体と強固に固定されている可動板の軸が、扇体の末端部上方が側方へ開くこと及び末端部下方が内方へ閉じることを阻止するので、扇部は崩壊しない。こうして扇部が上方向に扇動することにより、差し入れ口から水平に挿入すればかろうじて差し入れ口を通過する厚みのある郵便物を水平に挿入し得る空間が郵便受け箱内に確保される。また長い郵便物を差し入れ口の上下両端で傷つけることなく水平に挿入し得る空間が郵便受け箱内に確保される。
【００１９】
完全に挿入された郵便物は差し入れ口の下端を支点として回転落下し、郵便受け箱に収納される。郵便物の先端以外に扇部の下方扇動を妨げる物は設けられていないので、郵便物の先端で支えられていた扇部は回転軸以外の支えを失って下方向に扇動し、箱本体の開口部に収納され、郵便受け箱は元の形状に戻る。
【００２０】
本発明の扇部は縦方向に扇動する構造であるから、ドアの開閉による横方向の回転の影響を受けにくい。遠心力の影響で扇部が多少上方向に扇動した場合でも、ドアの動きを止めれば扇部は箱本体の開口部に収納され、郵便受け箱は元の形状に戻る。
【００２１】
したがって、上方向に扇動した扇部を箱本体に収納することを目的としては、人力を必要としない。
【００２２】
扇体及び扇蓋の各末端部の上端から下端までに至る各距離を短くして扇体の対の個数を増やせば、郵便受け箱の奥行きを短くすることができる。その分、箱本体のドアに接面する箱壁の幅、扇体及び扇蓋の各両側壁間の幅は広くする必要があるが、奥行きは短くできる。この場合、郵便受け箱が継続して占有できる空間の確保を側方に広げる必要はあるが、ドアから戸内の方向へは広げる必要はない。
【００２３】
郵便物の取り出し口は、箱本体のうちドアに接面しない箱周壁の部分又は底壁の部分であって扇部に干渉しない位置に設け、普段は閉じておき、郵便物取り出し時に手動で開いて郵便物を取り出し、郵便物取り出し後に手動で閉じる。該取り出し口は居住者が意図的に開かない限り開かず、意図的に閉じない限り閉まらない。
【発明の効果】
【００２４】
本発明の郵便受け箱は、普段は箱本体に収納されている扇部が、郵便物の先端で押し上げられて扇動することによって、郵便物を水平に挿入し得る空間を郵便受け箱内に確保する。郵便物挿入後に扇部は箱本体に収納されるので、玄関の内側の空間を継続して広く占有せずに済む。差し入れ口から戸内へ通じる空間は、普段は箱周壁、上壁及び底壁により、郵便物挿入時は箱周壁、側壁、上壁、底壁及び可動板により遮られるので、差し入れ口から戸内の様子は見えず、差し入れ口を通じて玄関内を荒らされることはなく、小動物が玄関内に侵入することもなく、寒い時期の冷たい外気が室内に流入することもない。扇部は郵便物挿入後は箱本体に収納されて元に戻る。扇部は縦方向にのみ扇動するので、ドアの開閉による影響をうけにくく、遠心力により一時的に上方向に扇動したとしてもドアの動きを止めれば扇部は箱本体に収納されて元に戻る。扇動した扇部を箱本体に収納することを目的としては人力を必要としない。
【図面の簡単な説明】
【００２５】
【図１】図１は郵便受け箱の普段の形状を示した斜視図である。
【図２】図２は扇部が上方向に扇動した状態の郵便受け箱の形状を示した斜視図である。
【図３】図３は箱本体を示した斜視図である。
【図４】図４は扇蓋及び扇体を示した斜視図である。
【図５】図５は扇部収納時及び最大扇動時における扇蓋及び扇体の末端部の重なり合う位置関係を示した説明図である。
【図６】図６は可動板が垂直に垂れ下がっている状態を示した説明図である。
【図７】図７は可動板が垂直に垂れ下がっている状態を示した拡大断面図である。
【図８】図８は扇部が上方向に扇動した場合における郵便受け箱の形状を示した側面図である。
【図９】図９は扇部が上方向に扇動した場合における扇部及び可動板の状態を示した断面図である。
【図１０】図１０は郵便物の挿入開始から収納までの変化を示した説明図である。
【図１１】図１１は扇体の側壁と可動板の軸とが強固に固定されている構造の一例を示す拡大断面図である。
【図１２】図１２は箱本体の底壁を上から見た様子及び各様子に対応する箱本体底部の側断面を示す説明図である。
【発明を実施するための形態】
【実施例】
【００２６】
図１は、本発明の郵便受け箱の普段の状態を示す。扇部は箱本体に収納されている。図３は箱本体を示す。実施例では箱本体の側壁上部の形状が略三角形であるが、他の形状で実施してもよい。また箱本体の周壁の表面は凸曲面であっても実施しうる。
【００２７】
図２は、扇部が上方向に扇動した状態を示し、その状態の側面図が図８、断面図が図９である。図４は扇蓋及び扇体を示す。実施例では扇体は両側を一対として４対であるが、４対より多くとも、また少なくとも実施しうる。扇体と可動板の軸とは図１１に示すように強固に固定されている。扇体と可動板の軸とを強固に固定する方法として他の方法をも取り得ることは勿論である。
【００２８】
図５に示すように扇蓋及び扇体は係止部を有し、上方向に扇動する場合には、係止部は吊り上げる機能とともに扇動を制限する機能を発揮する。また箱本体の係止部も扇動を制限する機能を発揮する。
【００２９】
図６及び図７に示すように扇部収納時に可動板の軸は垂直に重なり合うことがなく、箱本体に近い扇体であればあるほど可動板の軸はドアから遠くに位置している。このため扇部収納時に可動板はいずれも垂直に垂れ下がる。
【００３０】
以上により本発明を実施した郵便受け箱に郵便物を挿入すると、図１０に示すように郵便物はスムーズに郵便受け箱内に収納され、扇部は箱本体に収納される。
【００３１】
実施例では図１２に示すとおり取り出し口は箱本体の底壁に設けられている。取り差し口係止機構を下から上へと押し上げて回すと底壁は係止状態を脱し、ドアに接面する箱壁の底部に設けられた軸を中心に底壁は下方へ開き、取り出し口として開口する。図１２に示す場所でなくても、ドアに接面しない箱周壁の部分であって扇部に干渉しない位置に取り出し口を設けることによっても、本発明を実施することが可能である。また取り出し口係止機構を実施例に示した構成以外の構成によっても、本発明を実施することが可能である。
【符号の説明】
【００３２】
１    郵便受け箱
２    箱本体
２a  箱壁
２b  箱周壁
２c  底壁
２d  回転軸
２e  開口部
３    差し入れ口
４    扇部
４a  扇蓋
４b  扇体
４c  可動板
４d  可動板の軸
４e  上壁
５    係止部
６  側壁
７  郵便物
８  取り出し口係止機構
【図１】
2014090796.tif 000003
【図２】
2014090796.tif 000004
【図３】
2014090796.tif 000005
【図４】
2014090796.tif 000006
【図５】
2014090796.tif 000007
【図６】
2014090796.tif 000008
【図７】
2014090796.tif 000009
【図８】
2014090796.tif 000010
【図９】
2014090796.tif 000011
【図１０】
2014090796.tif 000012
【図１１】
2014090796.tif 000013
【図１２】
2014090796.tif 000014
【手続補正書】
【提出日】平成24年11月1日(2012.11.1)
【手続補正１】
【補正対象書類名】図面
【補正対象項目名】図１０
【補正方法】変更
【補正の内容】
【図１０】
2014090796.tif 000015